(57)【要約】【課題】乾燥室に収容された吸湿剤が吸湿して吸湿性が低下した場合にも、吸湿剤の吸湿性を回復させることができる記録装置を提供する。【解決手段】記録媒体Ｓにインクを吐出するインク吐出部と、吸湿剤３１が収容された乾燥室３６と、インクが吐出された記録媒体Ｓを、乾燥室３６に送り込む送り部と、吸湿剤３１を加熱する加熱部３３とを備えた。吸湿剤３１を、乾燥室３６と、加熱部３３により加熱される加熱位置Ｐと、の間で移動させる移動部３４をさらに備えることが好ましい。【選択図】図３
2015112723.tif 000002
【特許請求の範囲】
【請求項１】
記録媒体にインクを吐出するインク吐出部と、
吸湿剤が収容された乾燥室と、
前記インクが吐出された前記記録媒体を、前記乾燥室に送り込む送り部と、
前記吸湿剤を加熱する加熱部と、
を備えたことを特徴とする記録装置。
【請求項２】
前記吸湿剤を、前記乾燥室と、前記加熱部により加熱される加熱位置と、の間で移動させる移動部、をさらに備えたことを特徴とする請求項１に記載の記録装置。
【請求項３】
前記乾燥室は、前記乾燥室と前記加熱位置との間で移動する前記吸湿剤が通過する通過口、を有し、
前記吸湿剤が前記通過口を通過する際に、前記通過口を開放し、前記吸湿剤が前記乾燥室に移動した状態で、前記通過口を閉塞する通過口開閉部、をさらに備えたことを特徴とする請求項２に記載の記録装置。
【請求項４】
前記移動部は、
前記吸湿剤を、前記乾燥室と前記加熱位置との間で移動させる回転テーブルと、
前記回転テーブルを回転させる駆動部と、をさらに有し、
前記通過口開閉部は、前記回転テーブルに設けられていることを特徴とする請求項３に記載の記録装置。
【請求項５】
前記乾燥室は、送り込まれる前記記録媒体が通過する送入口、を有し、
前記送入口を閉塞し、且つ、前記記録媒体の通過を許容する送入口閉塞部、をさらに備えたことを特徴とする請求項１ないし４のいずれかに記載の記録装置。
【請求項６】
前記送入口閉塞部は、前記送入口を閉塞するニップローラー、を有することを特徴とする請求項５に記載の記録装置。
【請求項７】
前記乾燥室は、
前記送り部により前記記録媒体が送り込まれる送入口と、
前記送り部により前記記録媒体が送り出される送出口と、を有し、
前記送入口から前記送出口に至る送り経路が、折返し部を含むことを特徴とする請求項１ないし６のいずれかに記載の記録装置。
【請求項８】
前記乾燥室内の前記記録媒体に対して風を送る送風部、をさらに備えたことを特徴とする請求項１ないし７のいずれかに記載の記録装置。
【請求項９】
前記吸湿剤は、シリカゲル、シリカアルミナ、ゼオライト、塩化カルシウム、酸化カルシウム、酸化マグネシウム、過塩素酸マグネシウム、炭酸カリウム、硫酸ナトリウムおよび塩化亜鉛のうちの少なくとも一つを有することを特徴とする請求項１ないし８のいずれかに記載の記録装置。
【請求項１０】
前記インク吐出部よりも前記記録媒体の送り方向上流側に設けられ、前記記録媒体に対して、前記インクと反応する反応液を付与する反応液付与部、をさらに備えたことを特徴とする請求項１ないし９のいずれかに記載の記録装置。
【発明の詳細な説明】
【技術分野】
【０００１】
本発明は、記録媒体に対してインクを吐出して記録を行う記録装置に関するものである。
【背景技術】
【０００２】
従来、用紙にインクを吐出する記録部と、送風ファンにより風を送ることで、用紙に吐出されたインクを乾燥させる送風部と、記録部によってインクが吐出された用紙を、送風部に搬送する記録搬送部と、送風部により用紙に向かって吹き付けられる空気に含まれる水蒸気を除去する除湿部とを備えたプリンターが知られている。除湿部には、ゼオライトやシリカゲルなどの除湿剤が用いられている（特許文献１参照）。
【先行技術文献】
【特許文献】
【０００３】
【特許文献１】特開２０１２−２０６３０３号公報
【発明の概要】
【発明が解決しようとする課題】
【０００４】
しかしながら、従来のプリンターは、除湿部に設けられた除湿剤が吸湿して吸湿性が低下した場合に、吸湿剤の吸湿性を回復させるものではなかった。
【０００５】
本発明は、乾燥室に収容された吸湿剤が吸湿して吸湿性が低下した場合にも、吸湿剤の吸湿性を回復させることができる記録装置を提供することを課題としている。
【課題を解決するための手段】
【０００６】
本発明の記録装置は、記録媒体にインクを吐出するインク吐出部と、吸湿剤が収容された乾燥室と、インクが吐出された記録媒体を、乾燥室に送り込む送り部と、吸湿剤を加熱する加熱部と、を備えたことを特徴とする。
【０００７】
この構成によれば、乾燥室に収容された吸湿剤が吸湿して吸湿性が低下した場合にも、吸湿剤を加熱部により加熱することで、吸湿剤の吸湿性を回復させることができる。
【０００８】
この場合、吸湿剤を、乾燥室と、加熱部により加熱される加熱位置と、の間で移動させる移動部、をさらに備えたことが好ましい。
【０００９】
この構成によれば、オペレーターが、吸湿剤を乾燥室と加熱位置との間で移動させる必要がなく、移動部により、吸湿剤を乾燥室と加熱位置との間で移動させることができる。
【００１０】
この場合、乾燥室は、乾燥室と加熱位置との間で移動する吸湿剤が通過する通過口、を有し、吸湿剤が通過口を通過する際に、通過口を開放し、吸湿剤が乾燥室に移動した状態で、通過口を閉塞する通過口開閉部、をさらに備えたことが好ましい。
【００１１】
この構成によれば、吸湿剤が乾燥室に移動した状態では、通過口開閉部により通過口が閉塞されるため、乾燥室内を低湿度に保つことができる。
【００１２】
この場合、移動部は、吸湿剤を、乾燥室と加熱位置との間で移動させる回転テーブルと、回転テーブルを回転させる駆動部と、をさらに有し、通過口開閉部は、回転テーブルに設けられていることが好ましい。
【００１３】
この構成によれば、駆動部によって、回転テーブルを回転すると共に、通過口開閉部を開閉動作させることができる。したがって、回転テーブルを回転させる駆動部とは別に、通過口開閉部を開閉動作させるための機構を設ける必要がない。
【００１４】
この場合、乾燥室は、送り込まれる記録媒体が通過する送入口、を有し、送入口を閉塞し、且つ、記録媒体の通過を許容する送入口閉塞部、をさらに備えたことが好ましい。
【００１５】
この構成によれば、送入口閉塞部により、送入口の気密性が高められるため、乾燥室内を低湿度に保つことができる。
【００１６】
この場合、送入口閉塞部は、送入口を閉塞するニップローラー、を有することが好ましい。
【００１７】
この場合、乾燥室は、送り部により記録媒体が送り込まれる送入口と、送り部により記録媒体が送り出される送出口と、を有し、送入口から送出口に至る送り経路が、折返し部を含むことが好ましい。
【００１８】
この構成によれば、送り経路が折返し部を含まない場合に比べ、送り経路が長くなるため、記録媒体が乾燥室内を通過する時間が長くなる。したがって、インクが吐出された記録媒体を、より良く乾燥させることができる。
【００１９】
この場合、乾燥室内の記録媒体に対して風を送る送風部、をさらに備えたことが好ましい。
【００２０】
この構成によれば、記録媒体に対して風が送られるため、インクが吐出された記録媒体を、より良く乾燥させることができる。
【００２１】
この場合、吸湿剤は、シリカゲル、シリカアルミナ、ゼオライト、塩化カルシウム、酸化カルシウム、酸化マグネシウム、過塩素酸マグネシウム、炭酸カリウム、硫酸ナトリウムおよび塩化亜鉛のうちの少なくとも一つを有することが好ましい。
【００２２】
この場合、インク吐出部よりも記録媒体の送り方向上流側に設けられ、記録媒体に対して、インクと反応する反応液を付与する反応液付与部、をさらに備えたことが好ましい。
【００２３】
この構成によれば、反応液およびインクが吐出された記録媒体を、乾燥室において乾燥させることができる。
【図面の簡単な説明】
【００２４】
【図１】本発明の一実施形態に係る記録装置の構成図である。
【図２】記録装置におけるヘッドユニットおよび反応液付与部の図である。
【図３】記録装置における乾燥部の平面図である。
【図４】乾燥部の正面図である。
【図５】乾燥部の側面図である。
【図６】乾燥部の送入口周りおよび送出口周りの正面図である。
【図７】乾燥部において、吸湿剤が乾燥室と加熱位置との間を移動する様子を示す図である。
【図８】乾燥部の変形例に係る側面図である。
【図９】他の実施形態に係る記録装置の構成図である。
【発明を実施するための形態】
【００２５】
以下、添付の図面を参照して、本発明の一実施形態に係る記録装置について説明する。この記録装置は、ラベル用紙などの長尺状の印刷媒体に対して、インクと反応する反応液を吐出し、その上にインクを吐出して記録を行うものである。記録媒体としては、紙系、フィルム系など、種々の材質のものを使用可能である。
【００２６】
図１に示すように、記録装置１は、記録媒体Ｓを送る送り部２と、記録媒体Ｓに反応液を吐出する反応液付与部３と、反応液が吐出された記録媒体Ｓに対して、インクを吐出するインク吐出部５と、インクが吐出された記録媒体Ｓを乾燥させる乾燥部６とを備えている。
【００２７】
送り部２は、ロール・ツー・ロール方式で記録媒体Ｓを送る。送り部２は、繰出しリール７および巻取りリール８と、繰出しリール７から巻取りリール８に至る送り経路Ｒの略中間に設けられた回転ドラム９と、送り経路Ｒに設けられた複数のローラーとを備えている。
【００２８】
複数のローラーとしては、送り方向上流側から順に、上流側送りローラー1１、上流側ガイドローラー1２、下流側ガイドローラー1３、下流側送りローラー1４、第１折返しローラー1５および第２折返しローラー１６が設けられている。繰出しリール７、上流側送りローラー1１、下流側送りローラー1４および巻取りリール８を回転駆動することで、記録媒体Ｓが、繰出しリール７から繰り出され、回転ドラム９の周面に沿って送り方向に送られた後、巻取りリール８に巻き取られる。なお、第１折返しローラー1５および第２折返しローラー１６は、乾燥部６に設けられている。
【００２９】
回転ドラム９は、図示しない支持機構により回転可能に支持された円筒形状のドラムである。回転ドラム９は、記録媒体Ｓを、裏面側すなわち記録面とは反対側から外周面で支持している。回転ドラム９は、その外周面に沿って記録媒体Ｓが送られると、外周面と記録媒体Ｓとの間の摩擦力により、従動回転する。回転ドラム９の軸方向の寸法は、最大幅の記録媒体Ｓの幅よりも僅かに大きくなっている（図２参照）。
【００３０】
繰出しリール７から巻取りリール８に至る記録媒体Ｓの送り経路Ｒに沿って、送り方向上流側から順に、反応液付与部３、インク吐出部５および乾燥部６が設けられている。反応液付与部３およびインク吐出部５は、回転ドラム９の外周面に沿うようにして設けられている。乾燥部６は、回転ドラム９と巻取りリール８との間に設けられている。
【００３１】
インク吐出部５は、送り方向上流側から順に、第１ヘッドユニット1７ａ、第２ヘッドユニット1７ｂ、第３ヘッドユニット1７ｃ、第４ヘッドユニット1７ｄおよび第５ヘッドユニット1７ｅを備えている。
【００３２】
図２に示すように、各ヘッドユニット1７は、例えば４個のインク吐出ヘッド１８を備えている。各インク吐出ヘッド１８は、インクジェット方式でインクを吐出するものであり、複数のインク吐出ノズル１９を有している。４個のインク吐出ヘッド１８のインク吐出ノズル１９は、回転ドラム９の幅に対応して配置されている。すなわち、各ヘッドユニット1７は、ライン型のものである。これにより、各ヘッドユニット1７は、シリアル型のように記録媒体Ｓの幅方向に走査することなく、記録媒体Ｓの幅全域にインクを吐出することができる。
【００３３】
第１ヘッドユニット1７ａはホワイトのインクを吐出する。第２ヘッドユニット1７ｂはブラックのインクを吐出する。第３ヘッドユニット1７ｃはイエローのインクを吐出する。第４ヘッドユニット1７ｄはシアンのインクを吐出する。第５ヘッドユニット1７ｅはマゼンタのインクを吐出する。例えば、記録媒体Ｓが透明なフィルム材で構成されている場合には、第１ヘッドユニット1７ａによりホワイトのインクを全面に吐出して白色の下地を形成し、形成された下地の上に、第２ヘッドユニット1７ｂから第５ヘッドユニット1７ｅにより各色のインクを吐出して、カラー画像を形成する。また、記録媒体Ｓが紙材で構成されている場合には、第１ヘッドユニット1７ａによりホワイトのインクを吐出することなく、第２ヘッドユニット1７ｂから第５ヘッドユニット1７ｅにより各色のインクを吐出して、カラー画像を形成すればよい。
もちろん、各ヘッドユニット1７が吐出するインクの色は、特に限定されるものではない。また、ヘッドユニット1７の個数、すなわち、インク吐出部５が吐出するインクの色数も、特に限定されるものではない。
【００３４】
各ヘッドユニット1７が吐出するインクとしては、反応液付与部３が吐出する反応液と反応するものであれば、特に限定されるものではないが、色材が溶媒中に分散したものが好ましい。色材が溶媒中に分散したインクとしては、例えば、色材として顔料を用いた、顔料インクを好適に用いることができる。
【００３５】
図２に示すように、反応液付与部３は、例えば４個の反応液吐出ヘッド２３を備えている。各反応液吐出ヘッド２３は、インクジェット方式で反応液を吐出するものであり、複数の反応液吐出ノズル２４を有している。４個の反応液吐出ヘッド２３の反応液吐出ノズル２４は、回転ドラム９の幅に対応して配置されている。すなわち、反応液付与部３は、ライン型のものである。これにより、反応液付与部３は、シリアル型のように記録媒体Ｓの幅方向に走査することなく、記録媒体Ｓの幅全域に反応液を吐出することができる。
なお、反応液付与部３は、記録媒体Ｓの全面に反応液を吐出してもよく、インク吐出部５によりインクが吐出される領域のみに反応液を吐出してもよい。
【００３６】
反応液としては、各ヘッドユニット1７が吐出するインクと反応するものであれば、特に限定されるものではない。色材が溶媒中に分散したインクを用いる場合、反応液としては、色材を凝集させる凝集剤を溶媒に溶解させたものが好ましい。この場合、反応液が吐出された記録媒体Ｓに対してインクが吐出されると、反応液中の凝集剤によって、インク中の色材相互のクーロン反発力が中和され、色材同士が凝集する。これにより、記録媒体Ｓに吐出されたインクが増粘し、記録媒体Ｓに対するインクの定着性が高まる。
なお、反応液とインクとの反応としては、上述した、凝集剤による色材の凝集に限られるものではない。
【００３７】
反応液の溶媒としては、水が好ましく、水に加えて、多価アルコール類、多価アルコール誘導体などの水溶性有機溶媒を添加してもよい。
【００３８】
凝集剤としては、例えば金属塩が好ましく、なかでも、凝集力の点から、多価金属塩が好ましい。多価金属塩としては、例えば、硝酸カルシウム、塩化カルシウム、塩化マグネシウム、酢酸カルシウム、酢酸マグネシウムおよびギ酸カルシウムのなかの１または複数を好適に用いることができる。
【００３９】
本実施形態では、記録媒体Ｓに対して反応液を付与する反応液付与部３として、インクジェット方式で反応液を吐出する例を挙げたが、反応液付与部３の態様はこれに限定されるものではない。反応液付与部３としては、例えば、噴霧ヘッドから記録媒体Ｓに向けて反応液をスプレー状に吐出する態様でもよく、塗布ローラーにより記録媒体Ｓに反応液を塗布する態様でもよい。
【００４０】
図３ないし図５に示すように、乾燥部６は、吸湿剤３１が収容された乾燥容器３２と、吸湿剤３１を加熱する加熱部３３と、後述する乾燥室３６と加熱位置Ｐとの間で吸湿剤３１を移動させる移動部３４とを備えている。
なお、以下では、図３ないし図５に示した「上」「下」「左」「右」「前」「後」を用いて説明するが、これらの方向は説明の便宜上のものであり、本発明の実施に関しては、これらの方向に限定されることはない。
【００４１】
乾燥容器３２は、略直方体状であり、その内部は、隔壁３５によって前後に仕切られている。隔壁３５の前方は、回転ドラム９から送られてきた記録媒体Ｓを乾燥するための乾燥室３６であり、隔壁３５の後方は、加熱部３３により吸湿剤３１の吸湿性を回復するための吸湿剤回復室３７である。
【００４２】
乾燥容器３２の左側壁３２ａには、乾燥室３６に送り込まれる記録媒体Ｓが通過する送入口３８が形成されている。また、乾燥容器３２の右側壁３２ｂには、乾燥室３６から送り出される記録媒体Ｓが通過する送出口３９が形成されている。
【００４３】
図６に示すように、送入口３８には、送入口３８を閉塞し、且つ、記録媒体Ｓの通過を許容する送入口閉塞部４１が設けられている。
【００４４】
送入口閉塞部４１は、送入側上ローラー４２および送入側下ローラー４３を有し、送入口３８を閉塞するニップローラーと、送入口３８の上縁部と送入側上ローラー４２との間の隙間を密閉する送入側上シート材４４と、送入口３８の下縁部と送入側下ローラー４３との間の隙間を密閉する送入側下シート材４５とを備えている。記録媒体Ｓは、送入側上ローラー４２と送入側下ローラー４３との間を通過して、乾燥室３６に送り込まれる。
【００４５】
送入側上シート材４４は、例えばゴムで構成されており、基端部が送入口３８の上縁部に固定され、先端部が送入側上ローラー４２と摺接する。同様に、送入側下シート材４５は、例えばゴムで構成されており、基端部が送入口３８の下縁部に固定され、先端部が送入側下ローラー４３と摺接する。なお、送入側上シート材４４および送入側下シート材４５は、一体であってもよい。
【００４６】
送出口３９には、送出口３９を閉塞し、且つ、記録媒体Ｓの通過を許容する送出口閉塞部５１が設けられている。
【００４７】
送出口閉塞部５１は、送入口閉塞部４１と同様に構成されており、送出側上ローラー５２および送出側下ローラー５３を有し、送出口３９を閉塞するニップローラーと、送出口３９の上縁部と送出側上ローラー５２との間の隙間を密閉する送出側上シート材５４と、送出口３９の下縁部と送出側下ローラー５３との間の隙間を密閉する送出側下シート材５５とを備えている。記録媒体Ｓは、送出側上ローラー５２と送出側下ローラー５３との間を通過して、乾燥室３６から送り出される。
【００４８】
送出側上シート材５４は、例えばゴムで構成されており、基端部が送出口３９の上縁部に固定され、先端部が送出側上ローラー５２と摺接する。同様に、送出側下シート材５５は、例えばゴムで構成されており、基端部が送出口３９の下縁部に固定され、先端部が送出側下ローラー５３と摺接する。送出側上シート材５４および送出側下シート材５５は、一体であってもよい。
【００４９】
このように構成された送入口閉塞部４１により、送入口３８の気密性が高められ、また、送出口閉塞部５１により送出口３９の気密性が高められる。したがって、乾燥室３６内を低湿度に保つことができる。
【００５０】
乾燥室３６には、上記の第１折返しローラー1５および第２折返しローラー１６が設けられている。送入口３８から乾燥室３６に送り込まれた記録媒体Ｓは、第１折返しローラー1５および第２折返しローラー１６による折返し部を含む送り経路Ｒに沿って送られ、送出口３９から送り出される。したがって、送り経路Ｒが折返し部を含まない場合に比べ、送り経路Ｒが長くなるため、記録媒体Ｓが乾燥室３６内を通過する時間が長くなる。したがって、反応液およびインクが吐出された記録媒体Ｓを、より良く乾燥させることができる。もちろん、乾燥室３６における折返し部の個数、すなわち折返しローラーの個数は、２個に限定されるものではなく、１個でもよく、３個以上であってもよい。
【００５１】
隔壁３５の上辺は、横長矩形状に切り欠かれており、この切欠き部が、移動部３４によって、乾燥室３６と吸湿剤回復室３７（より厳密には加熱位置Ｐ）との間を移動する吸湿剤３１が通過する通過口５６となっている。
【００５２】
加熱部３３は、吸湿剤回復室３７に設けられている。加熱部３３は、例えば、マイクロ波加熱器で構成される。加熱部３３により吸湿剤３１を加熱することで、吸湿により吸湿剤３１の吸湿性が低下した場合にも、吸湿性が回復する。加熱部３３によって吸湿剤３１が加熱される位置を、加熱位置Ｐという。なお、加熱部３３は、加熱により吸湿剤３１の吸湿性を回復できるものであれば、特に限定されるものではなく、例えば、ヒーターであってもよい。
【００５３】
吸湿剤３１は、透湿性の素材で構成された袋に入れられた状態で、後述する回転テーブル６１に載置される。吸湿剤３１としては、空隙による吸湿、すなわち物理的反応により吸湿するものであってもよく、化学的反応により吸湿するものであってもよい。物理的反応により吸湿するものとしては、例えば、シリカゲル、シリカアルミナおよびゼオライトを挙げることができる。化学的反応により吸湿するものとしては、例えば、塩化カルシウム、酸化カルシウム、酸化マグネシウム、過塩素酸マグネシウム、炭酸カリウム、硫酸ナトリウムおよび塩化亜鉛を挙げることができる。これらのなかでも、比較的低い温度且つ常圧下での加熱により、吸湿性が回復する点で、シリカゲル、シリカアルミナ、ゼオライト、炭酸カリウムおよび塩化亜鉛が好ましい。
【００５４】
移動部３４は、通過口５６を介して乾燥室３６と加熱位置Ｐとの間を渡すように設けられた、円盤状の回転テーブル６１と、回転テーブル６１を回転させる駆動部６２とを備えている。
【００５５】
回転テーブル６１は、例えば金網状のもので構成されている。回転テーブル６１の上面（載置面６１ａ）の一方の半部には、吸湿剤３１が載置される。また、送入口３８から送り込まれた記録媒体Ｓは、回転テーブル６１の下方を通って、送出口３９へと送られる。
【００５６】
駆動部６２は、隔壁３５に内蔵されており、モーター、ギア列などで構成されている。駆動部６２は、後述する通過口開閉部６３を介して、回転テーブル６１を回転させる。駆動部６２は、回転テーブル６１を、半回転ずつ回転させる。これにより、回転テーブル６１の載置面６１ａの一方の半部に載置された吸湿剤３１が、乾燥室３６と加熱位置Ｐとの間で移動するようになっている。
【００５７】
回転テーブル６１には、通過口５６と略同形同大の横長矩形状の板状に形成され、通過口５６を開閉する通過口開閉部６３が設けられている。通過口開閉部６３は、回転テーブル６１の直径に沿うようにして、設けられている。換言すれば、通過口開閉部６３の両面に、回転テーブル６１の半部がそれぞれ設けられている。通過口開閉部６３は、回転テーブル６１と一体となって回転する。図示省略したが、通過口開閉部６３の周縁部および通過口５６の縁部の少なくとも一方には、ローラーやゴムシートが設けられている。これにより、通過口開閉部６３が通過口５６を閉塞した状態では、乾燥室３６内の気密性を保つことができる。
【００５８】
図７に示すように、回転テーブル６１に載置された吸湿剤３１が乾燥室３６にある状態では、通過口５６は、通過口開閉部６３により閉塞されている（図７（ａ）参照）。この状態から回転テーブル６１および通過口開閉部６３が回転すると、通過口５６が開放されると共に、吸湿剤３１が乾燥室３６から通過口５６を通過して加熱位置Ｐへ移動する（図７（ｂ）参照）。吸湿剤３１が加熱位置Ｐへ移動した状態では、通過口５６は、通過口開閉部６３により閉塞される（図７（ｃ）参照）。この状態から回転テーブル６１および通過口開閉部６３が再び回転すると、通過口５６が開放されると共に、吸湿剤３１が加熱位置Ｐから通過口５６を通過して乾燥室３６へ移動する（図７（ｄ）参照）。吸湿剤３１が乾燥室３６へ戻った状態では、通過口５６は、通過口開閉部６３により閉塞される（図７（ａ）参照）。
【００５９】
記録媒体Ｓへの記録ジョブ中は、回転テーブル６１に載置された吸湿剤３１が、乾燥室３６にある。このため、記録ジョブ中は、乾燥室３６内を低湿度に保つことができる。したがって、反応液およびインクが付与された後、乾燥室３６に送り込まれた記録媒体Ｓを、乾燥室３６において乾燥させることができる。
【００６０】
吸湿剤３１は、吸湿すると吸湿性が低下する。そこで、記録ジョブの休止中、すなわち、記録ジョブと記録ジョブとの間に、吸湿剤３１を乾燥室３６から加熱位置Ｐへ移動し、加熱部３３により加熱する。これにより、吸湿剤３１の吸湿性が回復する。その後、吸湿性が回復した吸湿剤３１を加熱位置Ｐから乾燥室３６へ戻し、記録ジョブを再開する。
【００６１】
なお、本実施形態では、回転テーブル６１の一方の半部に吸湿剤３１を載置したが、これに限定されるものではなく、例えば、回転テーブル６１の両半部にそれぞれ吸湿剤３１を載置した態様であってもよい。この態様では、回転テーブル６１の一方の半部に載置された吸湿剤３１が乾燥室３６にあるときに、回転テーブル６１の他方の半部に載置された吸湿剤３１が加熱位置Ｐにある。このため、記録ジョブ中に、一方の吸湿剤３１により乾燥室３６内を低湿度に保ちつつ、他方の吸湿剤３１を加熱部３３により加熱して、他方の吸湿剤３１の吸湿性を回復することができる。
【００６２】
このように構成された移動部３４によれば、吸湿剤３１を乾燥室３６と加熱位置Ｐとの間で移動させることができる。すなわち、オペレーターが、吸湿剤３１を乾燥室３６と加熱位置Ｐとの間で移動させる必要がない。また、吸湿剤３１が乾燥室３６に移動した状態では、通過口開閉部６３により通過口５６が閉塞されるため、乾燥室３６内を低湿度に保つことができる。さらに、駆動部６２によって、回転テーブル６１を回転すると共に、通過口開閉部６３を開閉動作させることができる。このため、回転テーブル６１を回転させる駆動部６２とは別に、通過口開閉部６３を開閉動作させるための機構を設ける必要がない。
【００６３】
図８を参照して、乾燥部６の変形例について説明する。変形例に係る乾燥部６は、上記の乾燥部６と略同様の構成であるが、乾燥室３６上部の後方寄りに設けられた送風部６５と、乾燥室３６内に上下に設けられた第１エアーガイド７１および第２エアーガイド７２と、をさらに備えている。
【００６４】
送風部６５は、ファン７３およびヒーター７４を備えている。送風部６５は、乾燥室３６内に熱風を送る。なお、送風部６５は、ファン７３のみにより室温の風を送る態様であってもよい。
【００６５】
第１エアーガイド７１は、回転テーブル６１の下方に設けられており、隔壁３５から乾燥容器３２の前壁３２ｃに向けて略水平に延びる板状のものである。第２エアーガイド７２は、第１エアーガイド７１の下方に設けられており、乾燥容器３２の前壁３２ｃから隔壁３５に向けて略水平に延びる板状のものである。送入口３８から送出口３９へと送られる記録媒体Ｓは、第１エアーガイド７１と第２エアーガイド７２との間を通過する。
【００６６】
送風部６５から乾燥室３６内に送られた熱風は、第１エアーガイド７１および第２エアーガイド７２によってガイドされる。すなわち、送風部６５からの熱風は、図８の矢印で示すように、第１エアーガイド７１の上方を前方に流れ、第１エアーガイド７１と第２エアーガイド７２との間を後方に流れ、第２エアーガイド７２の下方を前方に流れ、その後、乾燥室３６の外部へと排気される。なお、第２エアーガイド７２の下方の気流を、外部へ排気する代わりに、吸湿剤３１の手前側に戻し、循環するようにしてもよい。
【００６７】
送風部６５からの熱風は、第１エアーガイド７１の上方を流れる際に、回転テーブル６１に載置された吸湿剤３１によって乾燥され、その後、第１エアーガイド７１と第２エアーガイド７２との間を通過する記録媒体Ｓに対して、吹き付けられる。このように、変形例の乾燥部６によれば、記録媒体Ｓに対して風が送られるため、反応液およびインクが吐出された記録媒体Ｓを、より良く乾燥させることができる。
【００６８】
以上、本実施形態の記録装置１によれば、乾燥室３６に収容された吸湿剤３１が吸湿して吸湿性が低下した場合にも、吸湿剤３１を加熱部３３により加熱することで、吸湿剤３１の吸湿性を回復させることができる。
【００６９】
なお、本実施形態では、記録媒体Ｓに対して反応液付与部３により反応液を付与した後、その上にインク吐出部５によりインクを吐出して記録を行うものであるが、これに限定されるものではなく、記録媒体Ｓに対して反応液を付与することなく、インクを吐出する態様であってもよい。すなわち、反応液付与部３を省略することも可能である。
【００７０】
また、本実施形態では、ドラム搬送タイプの記録装置１に本発明を適用した例について説明したが、これに限定されるものではなく、図９に示したような、フラット搬送タイプの記録装置２００にも適用できる。フラット搬送タイプの記録装置２００は、インクジェットヘッドで構成された複数の記録ヘッド２１２を有するキャリッジユニット２１１と、キャリッジユニット２１１を記録媒体Ｓの送り方向であるＸ軸方向に移動させるＸ軸テーブル２１３と、Ｘ軸テーブル２１３に搭載され、キャリッジユニット２１１をＹ軸方向に微小に移動させるＹ軸テーブル（図示省略）と、キャリッジユニット２１１に対峙するようにベースプレート２０３上に配設されたプラテン２１５と、記録媒体Ｓを、繰出し部２０６からプラテン２１５に送り込むと同時にプラテン２１５から巻取り部２０７に送り出す紙送り機構２１６と、インクが吐出された記録媒体Ｓを乾燥させる乾燥部６と、を有している。乾燥部６は、上記の実施形態と同様に構成されたものである。もちろん、記録装置２００においても、反応液付与部３を備えた構成であってもよい。
【符号の説明】
【００７１】
１：記録装置、２：送り部、５：インク吐出部、３１：吸湿剤、３３：加熱部、３６：乾燥室、Ｓ：記録媒体
【図１】
2015112723.tif 000003
【図２】
2015112723.tif 000004
【図３】
2015112723.tif 000005
【図４】
2015112723.tif 000006
【図５】
2015112723.tif 000007
【図６】
2015112723.tif 000008
【図７】
2015112723.tif 000009
【図８】
2015112723.tif 000010
【図９】
2015112723.tif 000011